(57)【特許請求の範囲】
【請求項１】
携帯端末からの発信時に発信者情報と接続先電話番号とを受信する電話番号受信手段と、
該電話番号受信手段により前記発信者情報と前記接続先電話番号とが受信された際に、前記発信者情報に基づいて前記接続先電話番号を保存する電話番号保存手段と、
前記携帯端末以外の電話から前記発信者情報を含む再通話要求を受信する再通話要求受信手段と、
該再通話要求受信手段により前記再通話要求が受信された際に、前記再通話要求に含まれる前記発信者情報に基づいて前記接続先電話番号を読み出す電話番号読み出し手段と、
該電話番号読み出し手段により読み出された前記接続先電話番号に基づいて再通話接続要求を行う交換機とを具備することを特徴とする再通話システム。
【請求項２】
前記発信者情報は、前記携帯端末の電話番号であることを特徴とする請求項１記載の再通話システム。
【請求項３】
前記電話番号保存手段は、前記発信者情報に対応するパスワードを予め保存させ、
前記再通話要求には、前記携帯端末の電話番号と前記パスワードとが含まれていることを特徴とする請求項１又は２記載の再通話システム。
【請求項４】
前記交換機は、前記再通話要求であることを認識させるために前記再通話要求に含まれる前記発信者情報を前記再通話接続要求時に送信させることを特徴とする請求項１乃至３のいずれかに記載の再通話システム。
【請求項５】
ＰＳＴＮ網に接続された交換機と当該交換機に接続されているサーバとにおける再通話方法であって、
前記サーバは、携帯端末からの発信時に発信者情報と接続先電話番号とを受信し、
該受信した前記発信者情報に基づいて前記接続先電話番号を保存し、
前記携帯端末以外の電話から前記発信者情報を含む再通話要求を受信し、
該受信した前記再通話要求に含まれる前記発信者情報に基づいて前記接続先電話番号を読み出し、
前記交換機は、前記読み出した前記接続先電話番号に基づいて再通話接続要求を行うことを特徴とする再通話方法。
【請求項６】
前記発信者情報を前記携帯端末の電話番号としたことを特徴とする請求項５記載の再通話方法。
【請求項７】
前記発信者情報に対応するパスワードを予め保存し、
前記携帯端末の電話番号と前記パスワードとを受信した際に前記再通話要求と認識し、
前記携帯端末の電話番号と前記パスワードとに基づいて前記接続先電話番号を読み出すことを特徴とする請求項５又は６記載の再通話方法。
【請求項８】
前記再通話要求であることを認識させるために前記再通話要求に含まれる前記発信者情報を前記再通話接続要求時に送信することを特徴とする請求項５乃至７のいずれかに記載の再通話方法。
【発明の詳細な説明】
【０００１】
【発明の属する技術分野】
本発明は、通話が終了した際に再度通話を確立する再通話システムおよび再通話方法に関し、特に電池切れによって通話が終了した際に再度通話を確立する再通話システムおよび再通話方法に関する。
【０００２】
【従来の技術】
近年、携帯電話等の携帯端末では、相手先電話番号を選択するだけで相手先電話番号を入力することなく通話できる電話帳機能と称する相手先電話番号登録機能、発信した電話番号を一定数保存する発信履歴機能が一般的となっており、携帯端末を利用した発信に際して携帯端末に保存されている電話番号を使用することが多くなってきている。
【０００３】
【発明が解決しようとする課題】
しかしながら、従来技術では、通話中に携帯端末の電池切れによる通話終了が起きた場合、携帯端末が使用できなくなるため、相手先電話番号登録機能および発信履歴機能により携帯端末に保存されている電話番号を使用した再通話ができないと共に、相手先電話番号を記憶していない場合には、携帯電話を使用した相手先電話番号の確認を行うことができなくなり、相手先と再通話するためには、携帯端末の充電を行わなければならないという問題点があった。
【０００４】
本発明は斯かる問題点を鑑みてなされたものであり、その目的とするところは、通話中に携帯端末の電池切れによる通話終了が起きた場合に、相手先電話番号を記憶していなくとも、公衆電話等の電話を使用して相手先との再通話を確立することができる再通話システムおよび再通話方法を提供する点にある。
【０００５】
【課題を解決するための手段】
本発明は上記課題を解決すべく、以下に掲げる構成とした。
請求項１記載の発明の要旨は、携帯端末からの発信時に発信者情報と接続先電話番号とを受信する電話番号受信手段と、該電話番号受信手段により前記発信者情報と前記接続先電話番号とが受信された際に、前記発信者情報に基づいて前記接続先電話番号を保存する電話番号保存手段と、前記携帯端末以外の電話から前記発信者情報を含む再通話要求を受信する再通話要求受信手段と、該再通話要求受信手段により前記再通話要求が受信された際に、前記再通話要求に含まれる前記発信者情報に基づいて前記接続先電話番号を読み出す電話番号読み出し手段と、該電話番号読み出し手段により読み出された前記接続先電話番号に基づいて再通話接続要求を行う交換機とを具備することを特徴とする再通話システムに存する。
また請求項２記載の発明の要旨は、前記発信者情報は、前記携帯端末の電話番号であることを特徴とする請求項１記載の再通話システムに存する。
また請求項３記載の発明の要旨は、前記電話番号保存手段は、前記発信者情報に対応するパスワードを予め保存させ、前記再通話要求には、前記携帯端末の電話番号と前記パスワードとが含まれていることを特徴とする請求項１又は２記載の再通話システムに存する。
また請求項４記載の発明の要旨は、前記交換機は、前記再通話要求であることを認識させるために前記再通話要求に含まれる前記発信者情報を前記再通話接続要求時に送信させることを特徴とする請求項１乃至３のいずれかに記載の再通話システムに存する。
また請求項５記載の発明の要旨は、ＰＳＴＮ網に接続された交換機と当該交換機に接続されているサーバとにおける再通話方法であって、前記サーバは、携帯端末からの発信時に発信者情報と接続先電話番号とを受信し、該受信した前記発信者情報に基づいて前記接続先電話番号を保存し、前記携帯端末以外の電話から前記発信者情報を含む再通話要求を受信し、該受信した前記再通話要求に含まれる前記発信者情報に基づいて前記接続先電話番号を読み出し、前記交換機は、前記読み出した前記接続先電話番号に基づいて再通話接続要求を行うことを特徴とする再通話方法に存する。
また請求項６記載の発明の要旨は、前記発信者情報を前記携帯端末の電話番号としたことを特徴とする請求項５記載の再通話方法に存する。
また請求項７記載の発明の要旨は、前記発信者情報に対応するパスワードを予め保存し、前記携帯端末の電話番号と前記パスワードとを受信した際に前記再通話要求と認識し、前記携帯端末の電話番号と前記パスワードとに基づいて前記接続先電話番号を読み出すことを特徴とする請求項５又は６記載の再通話方法に存する。
また請求項８記載の発明の要旨は、前記再通話要求であることを認識させるために前記再通話要求に含まれる前記発信者情報を前記再通話接続要求時に送信することを特徴とする請求項５乃至７のいずれかに記載の再通話方法に存する。
【０００６】
【発明の実施の形態】
以下、本発明の実施の形態を図面に基づいて詳細に説明する。
【０００７】
図１は、本発明に係る再通話システムの実施の形態の構成を示すシステム構成図であり、図２は、図１に示すサーバの構成を示すブロック図であり、図３は、図２に示す接続先電話番号記憶部の記憶内容を示す図である。
【０００８】
本実施の形態の再通話システム３は、図１を参照すると、無線局３１と、交換機３２と、サーバ３３とからなり、無線局３１は、発信側の携帯端末１０と無線回線２を介して接続されており、交換機３２は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）網４と接続されている。ＰＳＴＮ網４には、交換機１２と交換機２２とが接続されており、交換機１２には、公衆電話１１が接続され、交換機２２には、受信側の携帯端末２０と無線回線２を介して接続可能な無線局２１が接続されている。
【０００９】
無線局３１は、発信側の携帯端末１０と無線接続するための無線回線２の制御を行い、交換機３２は、無線局３１の制御を行って携帯端末１０との間で回線を確立すると共に、接続要求に応じてＰＳＴＮ網４を介して交換機１２もしくは交換機２２との間で回線を確立する。また、交換機３２は、携帯端末１０からの発信に際しては、携帯端末１０から発信された接続先電話番号をサーバ３３に送信すると共に、携帯端末１０の電話番号を指定した再通話要求に対しては、サーバ３３に保存されている接続先電話番号を受信して、受信した接続先電話番号に基づいて接続要求を行う。
【００１０】
サーバ３３は、図２を参照すると、接続先電話番号受信部３４と、記憶制御部３５と、接続先電話番号記憶部３６と、接続先電話番号送信部３７とからなる。
【００１１】
接続先電話番号受信部３４は、交換機３２から発信者情報と接続先電話番号とを受信すると共に、交換機３２から発信者情報とパスワードとを受信し、それぞれを記憶制御部３５に転送する。
【００１２】
記憶制御部３５は、接続先電話番号受信部３４から発信者情報と接続先電話番号とを受信した場合には、接続先電話番号記憶部３６の発信者情報が該当するエリアに接続先電話番号を保存させ、接続先電話番号受信部３４から発信者情報とパスワードとを受信した場合には、接続先電話番号記憶部３６の発信者情報が該当するエリアから保存されている接続先電話番号を読み出して接続先電話番号送信部３７に送信する。
【００１３】
接続先電話番号記憶部３６は、図３を参照すると、発信者情報と、パスワードと、接続先電話番号とを記憶する記憶手段であり、発信者情報とパスワードとは、予め登録されて記憶されており、接続先電話番号は、記憶制御部３５の制御により保存および読み出しが行われ、携帯端末１０から発信された最新の接続先電話番号が保存される。
【００１４】
接続先電話番号送信部３７は、記憶制御部３５から受信した接続先電話番号を交換機３２に送信する。
【００１５】
次に、本実施の形態の動作について図４および図５を参照して詳細に説明する。
図４は、本発明に係る再通話システムの実施の形態の接続先電話番号保存動作を説明するためのシーケンス図であり、図５は、本発明に係る再通話システムの実施の形態の再通話動作を説明するためのシーケンス図である。
【００１６】
まず本実施の形態の接続先電話番号保存動作を説明する。
図４を参照すると、携帯端末１０から、携帯端末２０に対して接続を行う場合、携帯端末１０は、無線回線２を介して無線局３１に接続要求として接続先電話番号（携帯端末２０の電話番号）を送信し、無線局３１は、受信した接続先電話番号を交換機３２に送信する（ステップＡ１）。
【００１７】
接続先電話番号を受信した交換機３２は、接続先電話番号と公知の通信手順から得た発信者情報（携帯端末１０の電話番号）とを、サーバ３３に送信し（ステップＡ２）、サーバ３３の接続先電話番号受信部３４は、交換機３２から接続先電話番号と発信者情報とを受信し、受信した接続先電話番号と発信者情報とを記憶制御部３５に送信する。
【００１８】
接続先電話番号と発信者情報とを受信した記憶制御部３５は、受信した発信者情報と一致する接続先電話番号記憶部３６のエリアを検索し、該当するエリアの接続先電話番号の欄に受信した接続先電話番号を保存する（ステップＡ３）。
【００１９】
その後、交換機３２は、公知の通信手順により、ＰＳＴＮ網４を介して交換機２２に接続要求を送信し（ステップＡ４）、交換機２２は、無線局２１を介して受信側の携帯端末２０を呼出し（ステップＡ５）、当該呼び出しに対して携帯端末２０が応答することにより、携帯端末１０と携帯端末２０との間が接続されることで通話が可能となる（ステップＡ６）。
【００２０】
次に通話中に携帯端末１０の電池切れが起きた場合の本実施の形態の再通話動作を説明する。
【００２１】
図５を参照すると、携帯端末１０からの発信に基づく携帯端末１０と携帯端末２０との間の通話中に携帯端末１０の電池切れが起こると、通話が終了（中断）されるため、携帯端末１０の所有者は、最寄りの公衆電話１１から自分の携帯端末１０の電話番号とパスワードとを入力して交換機１２に接続要求を行う（ステップＢ１）。なお、携帯端末１０の所有者が用いる電話は、公衆電話１１である必要はなく、自宅の電話、他人の携帯電話等であっても良いことは言うまでもない。
【００２２】
公衆電話１１からの携帯端末１０の電話番号とパスワードとを接続要求として受信した交換機１２は、ＰＳＴＮ網４を介して交換機３２に受信した接続要求を送信する（ステップＢ２）。
【００２３】
接続要求、すなわち携帯端末１０の電話番号とパスワードとを受信した交換機３２は、携帯端末１０の電話番号と共にパスワードを受信したことで接続先電話番号なしの再通話要求と判断し（ステップＢ３）、サーバ３３に対して、パスワードと共に、接続要求のあった携帯端末１０の電話番号を発信者情報として送信し、接続先電話番号の問い合わせを行う（ステップＢ４）。
【００２４】
サーバ３３の接続先電話番号受信部３４は、交換機３２から発信者情報（携帯端末１０の電話番号）とパスワードとを受信し、受信した携帯端末１０の電話番号とパスワードとを記憶制御部３５に送信する。記憶制御部３５は、発信者情報（携帯端末１０の電話番号）と共にパスワードを受信することで接続先電話番号の問い合わせであると判断し、受信した発信者情報（携帯端末１０の電話番号）と一致する発信者情報のエリアを検索し、該当するエリアのパスワードを読み出して、交換機３２から受信したパスワードと比較し、両者が一致した場合に、該当するエリアの接続先電話番号（携帯端末２０の電話番号）を読み出し（ステップＢ５）、携帯端末２０の電話番号を接続先電話番号送信部３７に送信し、接続先電話番号送信部３７は、交換機３２に携帯端末２０の電話番号を接続先電話番号として送信する（ステップＢ６）。
【００２５】
交換機３２は、サーバ３３から受信した携帯端末２０の電話番号に基づいて、ＰＳＴＮ網４を介して交換機２２に接続要求を送信し（ステップＢ７）、交換機２２は、無線局２１を介して受信側の携帯端末２０を呼出し（ステップＢ８）、当該呼び出しに対して携帯端末２０が応答することにより、携帯端末１０と携帯端末２０との間が接続されて再通話が可能となる（ステップＢ９）。なお、交換機３２から交換機２２への接続要求に際し、発信者情報として携帯端末１０の電話番号を送信するように構成することもでき、この場合には、公衆電話１１からの発信であるにもかかわらず、携帯端末２０では、携帯端末１０の所有者からの発信であると認識できる。
【００２６】
なお、本実施の形態では、再通話のために発信する電話番号を自分の電話番号（携帯端末１０の電話番号）としたが、再通話のために発信する電話番号を予め定められた電話番号としても良く、この場合には、再通話のために予め定められた電話番号を発信した後に、自分の電話番号（携帯端末１０の電話番号）とパスワードとを入力するように構成する。
【００２７】
以上説明したように、本実施の形態によれば、通話中に携帯端末の電池切れによる通話終了が起きた場合に、相手先電話番号を記憶していなくとも、サーバ３３に保存されている接続先電話番号を用いることで、公衆電話等の電話を使用して相手先との再通話を確立することができ、予備の電池や、充電器相当の機械を持ち歩く必要がないという効果を奏する。
【００２８】
なお、本発明が上記各実施形態に限定されず、本発明の技術思想の範囲内において、各実施形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２９】
【発明の効果】
本発明の再通話システムおよび再通話方法は、通話中に携帯端末の電池切れによる通話終了が起きた場合に、相手先電話番号を記憶していなくとも、サーバに保存されている接続先電話番号を用いることで、公衆電話等の電話を使用して相手先との再通話を確立することができ、予備の電池や、充電器相当の機械を持ち歩く必要がないという効果を奏する。
【図面の簡単な説明】
【図１】本発明に係る再通話システムの実施の形態の構成を示すシステム構成図である。
【図２】図１に示すサーバの構成を示すブロック図である。
【図３】図２に示す接続先電話番号記憶部の記憶内容を示す図である。
【図４】本発明に係る再通話システムの実施の形態の接続先電話番号保存動作を説明するためのシーケンス図である。
【図５】本発明に係る再通話システムの実施の形態の再通話動作を説明するためのシーケンス図である。
【符号の説明】
２  無線回線
３  再通話システム
４  ＰＳＴＮ網
１０  （発信側の）携帯端末
１１  公衆電話
１２  交換機
２０  （受信側の）携帯端末
２１  無線局
２２  交換機
３１  無線局
３２  交換機
３３  サーバ
３４  接続先電話番号受信部
３５  記憶制御部
３６  接続先電話番号記憶部
３７  接続先電話番号送信部
【図１】
0003627676.tif 000002
【図２】
0003627676.tif 000003
【図３】
0003627676.tif 000004
【図４】
0003627676.tif 000005
【図５】
0003627676.tif 000006